【手続補正書】
【提出日】平成28年11月16日(2016.11.16)
【手続補正１】
【補正対象書類名】特許請求の範囲
【補正対象項目名】全文
【補正方法】変更
【補正の内容】
【特許請求の範囲】
【請求項１】
ＲＦ信号を伝送するための誘電体導波管フィルタであって、
第１の長手軸を画定し、導電性材料の層で覆われた複数の外面を含む、誘電材料の第１の中実で分離したブロックと、
前記誘電材料および前記複数の外面のうちの１つまたは複数の中に延在し、前記誘電材料の前記第１の中実で分離したブロックを複数の第１の共振器に分離する、１つまたは複数の第１のオープンスロットと、
前記誘電材料の第１の中実で分離したブロック上の、前記誘電材料の１つまたは複数の第１のＲＦ信号伝送橋であって、前記１つまたは複数の第１のオープンスロットとそれぞれ同一線上に位置し、前記第１の長手軸に沿った方向に各前記複数の第１の共振器の間で前記ＲＦ信号を伝送する第１の経路を画定する、第１のＲＦ信号伝送橋と、
前記複数の第１の共振器のうちの１つの領域内で、前記導電性材料の層内に画定される、第１のＲＦ信号伝送ウィンドウと、
第２の長手軸を画定し、導電性材料の層で覆われた複数の外面を含む、誘電材料の第２の中実で分離したブロックと、
前記第２の中実で分離したブロックの前記導電材料および前記複数の外面のうちの１つまたは複数の中に延在し、前記誘電材料の第２の中実で分離したブロックを複数の第２の共振器に分離する、１つまたは複数の第２のオープンスロットと、
前記誘電材料の第２の中実で分離したブロック上の、前記誘電材料の１つまたは複数の第２のＲＦ信号伝送橋であって、前記１つまたは複数の第２のオープンスロットとそれぞれ同一線上に位置し、前記第２の長手軸に沿った方向に各前記複数の第２の共振器の間で前記ＲＦ信号を伝送する第２の経路を画定する、第２のＲＦ信号伝送橋と、
前記複数の第２の共振器のうちの１つの領域内で、前記第２の中実で分離したブロックの前記導電性材料の層内に画定される、第２のＲＦ信号伝送ウィンドウと、を有し、
前記誘電材料の第１および第２の中実で分離したブロックは、前記誘電材料の第２の中実で分離したブロックの前記複数の外面のうちの１つが、前記誘電材料の第１のブロックの前記複数の外面のうちの１つと当接し、前記第１および第２のＲＦ信号伝送ウィンドウが、互いに位置合わせされる関係で互いに対して結合され、前記第１および第２の長手軸と垂直な方向で前記誘電材料の第１および第２の中実で分離したブロックの間で前記ＲＦ信号を伝送する第３の経路を画定する、
ＲＦ信号を伝送するための誘電体導波管フィルタ。
【請求項２】
前記複数の第１の共振器の前記領域内で、前記導電性材料の層内に画定される、第３のＲＦ信号伝送ウィンドウと、
前記複数の第２の共振器の前記領域内で、前記誘電材料の第２の中実で分離したブロックの前記外面を覆う前記導電性材料の層内に画定される、第４のＲＦ信号伝送ウィンドウと、を更に備え、
前記第３および第４のＲＦ信号伝送ウィンドウは、互いに位置合わせされ、前記第１および第２の長手軸と垂直な方向で前記誘電材料の第１および第２の中実で分離したブロックの間で前記ＲＦ信号を伝送する第４の経路を画定する
請求項１に記載の誘電体導波管フィルタ。
【請求項３】
前記誘電材料の第１および第２の中実で分離したブロックの上に画定される第１および第２のＲＦ信号入力／出力電極を更に備える、請求項２に記載の誘電体導波管フィルタ。
【請求項４】
前記誘電材料の第１および／または第２の中実で分離したブロック内に画定された１つまたは複数のステップを更に備える、請求項３に記載の誘電体導波管フィルタ。
【請求項５】
ＲＦ信号を伝送するための誘電体導波管フィルタであって、
誘電材料の第１の中実で分離したブロックであって、第１の長手軸を画定し、導電性材料の層で覆われた複数の外面、前記誘電材料内に画定され、前記第１の長手軸の方向と垂直な方向に延在し、前記誘電材料の第１の中実で分離したブロックを前記第１の長手軸に沿って延在する第１の複数の共振器に分離する、第１の複数のオープンスロット、ならびに前記誘電材料の第１の中実で分離したブロック内に画定される第１のステップを含む、誘電材料の第１の中実で分離したブロックと、
前記誘電材料の第１の中実で分離したブロック上の、前記第１の複数のオープンスロットとそれぞれ同一線上に位置する前記誘電材料の第１の複数のＲＦ信号伝送橋であって、前記第１の長手軸に沿った方向に前記第１の複数の共振器を通して前記ＲＦ信号を伝送する第１の経路を画定する、第１の複数のＲＦ信号伝送橋と、
前記導電性材料の層内に画定される、第１のＲＦ信号伝送ウィンドウと、
前記誘電材料の第１の中実で分離したブロック内に画定される第１のＲＦ信号入力／出力貫通孔と、
前記誘電性材料の第２の中実で分離したブロックであって、第２の長手軸を画定し、導電性材料の層で覆われた複数の外面と、前記誘電材料内に画定され、前記第２の長手軸の方向と垂直の方向に延在し、前記誘電材料の第２の中実で分離したブロックを前記第２の長手軸に沿って延在する第２の複数の共振器に分離する第２の複数のオープンスロットを含む、誘電材料の第２の中実で分離したブロックと、
前記誘電材料の第２の中実で分離したブロック上の、前記第２の複数のオープンスロットとそれぞれ同一線上に位置する誘電材料の第２の複数のＲＦ信号伝送橋であって、前記第２の長手軸に沿った方向に前記第２の複数の共振器を通して前記ＲＦ信号を伝送する第２の経路を画定する、第２の複数のＲＦ信号伝送橋と、
前記導電性材料の層内に画定される、第２のＲＦ信号伝送ウィンドウと、
前記第１および第２の中実で分離したブロックのそれぞれを通って画定される第１の直接ＲＦ信号伝送経路と、を有し、
前記誘電材料の第１および第２の中実で分離したブロックは、前記誘電材料の第２の中実で分離したブロックの前記複数の外面のうちの１つが、前記誘電材料の第１の中実で分離したブロックの前記複数の外面のうちの１つに当接され、前記第１および第２のＲＦ信号伝送ウィンドウが互いに位置合わせされた状態で互いに結合され、前記第１および第２の長手軸に垂直な方向で、前記誘電材料の第２の中実で分離したブロック内の前記第２の複数の共振器うちの第１の共振器と、前記誘電材料の第１の中実で分離したブロック内の前記第１の複数の共振器うちの第１の共振器との間に、前記ＲＦ信号を伝送する第３の経路を画定する、
ＲＦ信号を伝送するための誘電体導波管フィルタ。
【請求項６】
前記誘電材料の第１および第２の中実で分離したブロックの間に前記ＲＦ信号を伝送する第４の経路を更に備える、請求項５に記載の誘電体導波管フィルタ。
【請求項７】
前記第１の複数の共振器のうちの１つの領域内で、前記導電性材料の層内に画定される、第３のＲＦ信号伝送ウィンドウと、
前記第２の複数の共振器のうちの１つの領域内で、前記導電性材料の層内に画定される、第４のＲＦ信号伝送ウィンドウと、を更に備え、
前記第３および第４のＲＦ信号伝送ウィンドウは、前記誘電材料の第１および第２の中実で分離したブロックが互いに対して結合されると、互いに位置合わせされ、前記第１および第２の長手軸と垂直な方向で前記誘電材料の第１および第２の中実で分離したブロックの間で前記ＲＦ信号を伝送するための第４の経路を画定する、
請求項６に記載の誘電体導波管フィルタ。
【請求項８】
前記第１の直接ＲＦ信号伝送経路が、概ね長円形状である、請求項７に記載の誘電体導波管フィルタ。
【手続補正２】
【補正対象書類名】明細書
【補正対象項目名】００８３
【補正方法】変更
【補正の内容】
【００８３】
例えば、これに限定されないが、導波管フィルタのウィンドウ、段部、貫通孔、および切込み／スロットを含む、導波管フィルタのいくつかの要素の構成、大きさ、形状、および場所は、導波管フィルタの特定の適用または所望の性能特性に依存して調節されてもよいことが理解される。
下記は、本願の出願当初に記載の発明である。
＜請求項１＞
誘電体導波管フィルタであって、
導電性材料の外層で覆われた複数の外面を含む誘電材料のブロックと、
複数の積層共振器であって、前記誘電材料のブロックの中に延在する１つまたは複数のスロットおよび前記複数の積層共振器を分離する導電性材料の内層により、前記誘電材料のブロック内に画定された、複数の積層共振器と、
前記誘電材料のブロック上に画定された少なくとも第１のＲＦ信号入力／出力電極と、
前記導電性材料の内層内に画定され、前記複数の積層共振器間にＲＦ信号を伝送するための直通経路を画定する、第１のＲＦ信号伝送ウィンドウと
を備える、誘電体導波管フィルタ。
＜請求項２＞
少なくとも第１および第２のスロットが、前記誘電材料の前記ブロックの１つまたは複数の前記外面の中に延在し、前記誘電材料のブロックを少なくとも第１および第２の積層共振器ならびに第３および第４の積層共振器に分離し、前記第１のＲＦ信号伝送ウィンドウが、前記第１の積層共振器と前記第２の積層共振器との間の前記導電性材料の内層内に画定され、第２のＲＦ信号伝送ウィンドウが、前記導電性材料の内層内に画定され、前記第３の積層共振器と前記第４の積層共振器との間に前記ＲＦ信号を伝送するための間接経路を画定する、請求項１に記載の誘電体導波管フィルタ。
＜請求項３＞
前記誘電体導波管フィルタを通る前記ＲＦ信号を伝送するための概ね長円形状の直接経路を画定する前記第１のＲＦ信号入力／出力電極に対する関係で、前記誘電材料のブロック内に画定された第２のＲＦ信号入力／出力電極をさらに備える、請求項２に記載の誘電体導波管フィルタ。
＜請求項４＞
前記誘電材料のブロックが長手軸を画定し、前記第１および第２のＲＦ信号入力／出力電極が、前記誘電材料のブロックを通って延在するそれぞれの第１および第２の貫通孔によって画定され、前記第１および第２のスロットならびに前記第１および第２の貫通孔が、前記長手軸の方向に対して横方向に延在し、前記第１および第２の貫通孔が、前記導電性材料の内層の対向する側面上に正反対の方向に同一線上の関係で配置される、請求項３に記載の誘電体導波管フィルタ。
＜請求項５＞
前記誘電材料のブロックが、誘電材料の第１および第２の分離したブロックからなり、それぞれが、導電性材料の外層で覆われた複数の外面を含み、誘電材料の前記第１および第２の分離したブロックが互いに積層される際に前記導電性材料の内層を画定し、前記第１のスロットが、前記誘電材料の第１のブロック内に画定され、前記誘電材料の第１のブロックを前記第１および第３の共振器に分離し、前記第２のスロットが、前記誘電材料の第２のブロック内に画定され、前記誘電材料の第２のブロックを前記第２および第４の共振器に分離し、前記それぞれの第１および第２のＲＦ信号伝送ウィンドウが、前記誘電材料の第１および第２のブロックのそれぞれの前記外面を覆う、前記導電性材料の層内のそれぞれのウィンドウによって画定される、請求項２に記載の誘電体導波管フィルタ。
＜請求項６＞
誘電体導波管フィルタであって、
誘電材料の第１のブロックであって、導電性材料の層で覆われた複数の外面、ならびに１つまたは複数の前記外面の中に延在し、前記誘電材料の第１のブロックを少なくとも第１および第２の共振器に分離する、少なくとも第１のスロットを含む、誘電材料の第１のブロックと、
前記誘電材料の第１のブロックの一端に画定された第１のＲＦ信号入力／出力電極と、
誘電材料の第２のブロックであって、導電性材料の層で覆われた複数の外面、ならびに１つまたは複数の前記外面の中に延在し、前記誘電材料の第２のブロックを少なくとも第３および第４の共振器に分離する、少なくとも第２のスロットを含み、前記誘電材料の第２のブロックが、前記第１および第４の共振器が互いに積層され、前記第２および第３の共振器が互いに積層され、第１の概ね長円形状のＲＦ信号の直接の伝送経路が、前記導波管フィルタを介して画定される関係で、前記誘電材料の第１のブロックに積層される、誘電材料の第２のブロックと
を備える、誘電体導波管フィルタ。
＜請求項７＞
前記第１の直接ＲＦ信号伝送経路が、前記第２の積層共振器と前記第３の積層共振器との間に配置された第１のＲＦ信号伝送ウィンドウにより部分的に画定される、請求項６に記載の誘電体導波管フィルタ。
＜請求項８＞
前記第１の直接ＲＦ信号伝送ウィンドウが、前記誘電材料のそれぞれの第１および第２のブロックの前記外面を覆う、前記導電性材料の層内のそれぞれの第１および第２のウィンドウによって画定される、請求項７に記載の誘電体導波管フィルタ。
＜請求項９＞
前記第１の共振器と前記第４の共振器との間に前記ＲＦ信号を伝送するための間接経路を提供するために、前記第１の積層共振器と前記第４の積層共振器との間に配置された第２のＲＦ信号伝送ウィンドウをさらに備える、請求項８に記載の誘電体導波管フィルタ。
＜請求項１０＞
前記第２のＲＦ信号伝送ウィンドウが、前記誘電材料のそれぞれの第１および第２のブロックの前記外面を覆う、前記導電性材料の層内のそれぞれの第３および第４のウィンドウによって画定される、請求項９に記載の誘電体導波管フィルタ。
＜請求項１１＞
前記誘電材料の第２のブロックの一端に画定され、前記誘電材料の第１のブロックの前記一端に画定された前記第１のＲＦ信号入力／出力電極に正反対の方向の関係で位置付けられた、第２のＲＦ信号入力／出力電極をさらに備え、前記第１および第２のＲＦ信号入力／出力電極が、前記誘電材料のそれぞれの第１および第２のブロックを通って延在する、それぞれの第１および第２の貫通孔によって画定される、請求項１０に記載の誘電体導波管フィルタ。
＜請求項１２＞
前記誘電材料の第１および第２のブロックの前記それぞれの一端に画定された、それぞれの第１および第２の段部をさらに備え、前記それぞれの第１および第２の貫通孔が、前記それぞれの第１および第２の段部を通って延在する、請求項１１に記載の誘電体導波管フィルタ。
＜請求項１３＞
誘電体導波管フィルタであって、
誘電材料の第１のブロックであって、第１の長手軸を画定し、導電性材料の層で覆われた複数の外面、前記誘電材料の第１のブロック内に画定され、前記第１の長手軸の方向と反対の方向に延在し、前記誘電材料の第１のブロックを前記第１の長手軸に沿って延在する第１の複数の共振器に分離する、第１の複数のスロット、ならびに前記誘電材料の第１のブロックの一端に画定された第１の段部を含む、誘電材料の第１のブロックと、
前記誘電材料の第１のブロックの前記段部内に画定された第１のＲＦ信号入力／出力貫通孔と、
前記誘電性材料の第１のブロックに対して着座された誘電材料の第２のブロックであって、前記誘電材料の第２のブロックが、第２の長手軸を画定し、導電性材料の層で覆われた複数の外面、前記誘電材料の第２のブロック内に画定され、前記第２の長手軸の方向と反対の方向に延在し、前記誘電材料の第２のブロックを前記第２の長手軸に沿って延在する第２の複数の共振器に分離する、第２の複数のスロット、ならびに前記誘電材料の第２のブロックの一端に画定された第２の段部を含む、誘電材料の第２のブロックと、
前記誘電材料の第２のブロックの前記段部内に画定された第２のＲＦ信号入力／出力貫通孔と、
前記第１および第２のＲＦ信号入力／出力貫通孔と前記誘電材料の第１および第２のブロック内の前記複数の共振器の組合せによって画定された、第１の直接ＲＦ信号伝送経路と
を備える、誘電体導波管フィルタ。
＜請求項１４＞
前記第１の直接ＲＦ信号伝送経路が、前記誘電材料の第１のブロック内の前記第１の複数の共振器の第１の共振器と、前記誘電材料の第２のブロック内の前記第２の複数の共振器の第１の共振器との間に配置された、第１の直接ＲＦ信号伝送手段により部分的に画定される、請求項１３に記載の誘電体導波管フィルタ。
＜請求項１５＞
前記第１の直接ＲＦ信号伝送手段が、前記誘電材料のそれぞれの第１および第２のブロックの前記外面を覆う、前記導電性材料の層内に画定されたそれぞれの第１および第２のウィンドウによって画定される、請求項１４に記載の誘電体導波管フィルタ。
＜請求項１６＞
前記誘電材料の第１のブロック内の前記第１の複数の共振器の第２の共振器から、前記誘電材料の第２のブロック内の前記第２の複数の共振器の第２の共振器に、前記ＲＦ信号を前記伝送するための第１の間接結合経路を画定する、第１の間接ＲＦ信号伝送手段をさらに備える、請求項１５に記載の誘電体導波管フィルタ。
＜請求項１７＞
前記第１の間接ＲＦ信号伝送線手段が、前記誘電材料のそれぞれの第１および第２のブロックの前記複数の外面を覆う、前記導電性材料の層内に画定されたそれぞれの第３および第４のウィンドウによって画定される、請求項１６に記載の誘電体導波管フィルタ。
＜請求項１８＞
前記第１の直接ＲＦ信号伝送経路が、概ね長円形状である、請求項１７に記載の誘電体導波管フィルタ。